(57)【要約】  スピーカと、イヤークッションアダプタと、マイクロプロセッサとドライバと、ヘッドセットイヤーピースに取り外し可能に取り付けられるように構成された取り外し可能なイヤーカップと、を備える少なくとも１つのヘッドセットイヤーピースを備えるオーディオヘッドセットであって、マイクロプロセッサは、取り外し可能なイヤーカップを認識し、取り外し可能なイヤーカップに関連するパラメータに基づいて、スピーカを介してオーディオ出力を調整するように構成されている。
2018531544.tif 000002
【特許請求の範囲】
【請求項１】
オーディオヘッドセットであって、
スピーカと、イヤークッションアダプタと、マイクロプロセッサと、ドライバとを含む少なくとも１つのヘッドセットイヤーピースと、そして
ヘッドセットイヤーピースに取り外し可能に取り付けられるように構成された取り外し可能なイヤーカップと、を備え、
マイクロプロセッサは、取り外し可能なイヤーカップを認識し、取り外し可能なイヤーカップに関連するパラメータに基づいて、スピーカを介してオーディオ出力を調整するように構成されている、オーディオヘッドセット。
【請求項２】
前記ヘッドセットイヤーピース上の第１のセットの識別コンポーネントと、前記取り外し可能なイヤーカップ上の第２のセットの識別コンポーネントをさらに備え、前記第１および第２の識別コンポーネントは、前記取り外し可能なイヤーカップが前記オーディオヘッドセットに取り付けられたときに結合する、請求項１に記載のオーディオヘッドセット。
【請求項３】
前記プロセッサは、前記第１および第２の識別コンポーネントが結合されているときに前記取り外し可能なイヤーカップを認識するように構成されている、請求項２に記載のオーディオヘッドセット。
【請求項４】
前記ヘッドセットイヤーピースに関連する第１の磁気タブと、前記取り外し可能なイヤーカップに関連する第２の磁気タブとをさらに備え、前記第１および第２の磁気タブは、前記取り外し可能なイヤーカップが前記ヘッドセットイヤーピースに整列したときに整列し磁気的に結合されるように構成されている、請求項１に記載のオーディオヘッドセット。
【請求項５】
前記第１の磁気タブは、前記ヘッドセットイヤーピースの表面上に構成された複数の磁気タブからなり、前記第２の磁気タブは、前記取り外し可能なイヤーカップの表面上に構成された複数の磁気タブからなる、請求項４に記載のオーディオヘッドセット。
【請求項６】
取り外し可能なイヤーカップは、オーバーイヤーカップ、オンイヤーカップまたはインイヤーカップからなる、請求項１に記載のオーディオヘッドセット。
【請求項７】
前記マイクロプロセッサは、オーバーイヤーカップ、オンイヤーカップ、またはインイヤーカップに関連するパラメータに基づいて、前記スピーカでの前記オーディオ出力を調整するように構成されている、請求項１に記載のオーディオヘッドセット。
【請求項８】
前記マイクロプロセッサは、前記イヤーピースに取り付けられたイヤーカップのタイプのユーザ選択に基づいて、前記スピーカでの前記オーディオ出力を調整するためのユーザ指定パラメータを受信する、請求項７に記載のオーディオヘッドセット。
【請求項９】
前記マイクロプロセッサは、イヤーカップを前記イヤーピースから取り外した後に、当該イヤーカップに関連するパラメータを保持するように構成されている、請求項１に記載のオーディオヘッドセット。
【請求項１０】
ユーザに対してオーディオを再生するオーディオヘッドセットによって実行される方法であって、
前記オーディオヘッドセットに結合されたイヤークッションのタイプを決定するステップと、そして
前記オーディオヘッドセットに結合されたイヤークッションの決定されたタイプに関連する再生設定を使用してオーディオを再生するステップと、を含む方法。
【請求項１１】
オーディオヘッドセットであって、
各イヤーピースは、スピーカと、イヤークッションアダプタと、マイクロプロセッサと、ドライバとを含む、ヘッドセットイヤーピースの１ペアと、
前記ヘッドセットイヤーピースに取り外し可能に取り付けられるように構成された取り外し可能なイヤーカップの第１のペアであって、各イヤーピースに関連するマイクロプロセッサは、取り外し可能なイヤーカップの前記第１のペアを認識し、取り外し可能なイヤーカップの前記第１のペアに関連するパラメータに基づいて前記スピーカを通してのオーディオ出力を調整する、取り外し可能なイヤーカップの第１のペアと、
前記ヘッドセットイヤーピースに取り外し可能に取り付けられるように構成された取り外し可能なイヤーカップの第２のペアであって、各イヤーピースに関連するマイクロプロセッサは、取り外し可能なイヤーカップの前記第２のペアを認識し、取り外し可能なイヤーカップの前記第２のペアに関連するパラメータに基づいて前記スピーカを通してのオーディオ出力を調整する、取り外し可能なイヤーカップの第２のペアと、
を備えるオーディオヘッドセット。
【請求項１２】
各ヘッドセットイヤーピースの識別コンポーネントの一般的なセットと、
前記識別コンポーネントの一般的なセットと結合するように構成された取り外し可能なイヤーカップの前記第１のペア上の識別コンポーネントの第１のセットと、
前記識別コンポーネントの一般的なセットと結合するように構成された取り外し可能なイヤーカップの前記第２のペア上の識別コンポーネントの第２のセットと、を備え、
前記第１のセットの識別コンポーネントと前記第２のセットの識別コンポーネントは、互いに固有の構成で識別コンポーネントの一般的なセットに結合する、請求項１１に記載のオーディオヘッドセット。
【請求項１３】
前記プロセッサは、前記識別コンポーネントが結合されているときに前記取外し可能なイヤーカップを認識するように構成されている、請求項１２に記載のオーディオヘッドセット。
【請求項１４】
前記第１のペアの取り外し可能なイヤーカップは、オーバーイヤーカップ、オンイヤーカップ、またはインイヤーカップからなる、請求項１１に記載のオーディオヘッドセット。
【請求項１５】
前記第２のペアの取り外し可能なイヤーカップは、オーバーイヤーカップ、オンイヤーカップ、またはインイヤーカップからなる、請求項１１に記載のオーディオヘッドセット。
【請求項１６】
前記第１のペアの取り外し可能なイヤーカップは、前記第２のペアの取り外し可能なイヤーカップとは異なるタイプのイヤーカップからなる、請求項１１に記載のオーディオヘッドセット。
【請求項１７】
前記プロセッサは、前記イヤーピースに結合されたイヤーカップのタイプに関連するオーディオ出力を提供するように構成され、前記オーディオ出力は、オーバーイヤーカップ、オンイヤーカップ、またはインイヤーカップからなるイヤーカップの標準プロファイルである、請求項１１に記載のオーディオヘッドセット
【請求項１８】
前記プロセッサは、前記イヤーピースに結合された前記特定のイヤーカップに関連するオーディオ出力を提供するように構成され、前記特定のイヤーカップはユーザプロファイルに関連する、請求項１１に記載のオーディオヘッドセット。
【請求項１９】
前記第１のペアの取り外し可能なイヤーカップおよび前記第２のペアの取り外し可能なイヤーカップのそれぞれは、左右のペアの取り外し可能なイヤーカップからなる、請求項１１に記載のオーディオヘッドセット。
【請求項２０】
各イヤーピースのための前記マイクロプロセッサは、前記右または左のイヤーカップに関連する前記スピーカに出力を提供するように構成され、前記出力は、前記ユーザの各耳に対する特定のユーザプロファイルに関連する、請求項１９に記載のオーディオヘッドセット。
【発明の詳細な説明】
【技術分野】
【０００１】
（関連出願の相互参照）
本出願は、２０１５年９月２２日に出願された米国仮特許出願第６２／２２１，９８３号、ヘッドフォン用の交換可能なイヤーカップ、に優先権の利益を主張し、その内容全体が参照により本明細書に組み込まれる。
【発明の概要】
【０００２】
本発明の様々な例示的な実施形態は、ヘッドセットは使用されるイヤーカップのタイプに基づいてオーディオ出力を最適化することができ、交換可能なイヤーカップを備えるヘッドセットに向けられている。
【０００３】
本発明の１実施形態では、オーディオヘッドセットは、スピーカ、イヤークッションアダプタ、マイクロプロセッサ及びドライバを備える少なくとも１つのヘッドセットイヤーピースを備える。マイクロプロセッサは、取り外し可能なイヤーカップを認識し、取り外し可能なイヤーカップに関連するパラメータに基づいて、スピーカを介してオーディオ出力を調整するように構成され、取り外し可能なイヤーカップはヘッドセットイヤーピースに取り外し可能に取り付けられるように構成されている。
【０００４】
本発明の他の実施形態は、以下の特徴の一つ以上を含むことができる。
【０００５】
ヘッドセットは、ヘッドセットイヤーピース上の識別コンポーネントの第１のセットと、取り外し可能なイヤーカップ上の識別コンポーネントの第２のセットを含み、前記取り外し可能なイヤーカップがオーディオヘッドセットに取り付けられたとき、第１および第２の識別コンポーネントが結合する。プロセッサは、第１および第２の識別コンポーネントが結合されるときに、取り外し可能なイヤーカップを認識するように構成されている。オーディオヘッドセットはさらに、ヘッドセットイヤーピースに関連する第１の磁気タブと、取り外し可能なイヤーカップに関連する第２の磁気タブとを備え、取り外し可能なイヤーカップがヘッドセットイヤーピースと位置合わせられたとき、第１および第２の磁気タブは位置合わされて磁気的に結合するように構成されている。第１の磁気タブは、ヘッドセットイヤーピースの表面に構成されている複数の磁気タブを備え、第２の磁気タブは、取り外し可能なイヤーカップの表面に構成されている複数の磁気タブを備える。取り外し可能なイヤーカップは、オーバーイヤーカップ、オンイヤーカップ、またはインイヤーカップからなる。マイクロプロセッサは、オーバーイヤーカップ、オンイヤーカップ、またはインイヤーカップに関連するパラメータに基づいてスピーカでのオーディオ出力を調整するように構成されている。マイクロプロセッサは、イヤーピースに取り付けられたイヤーカップのタイプのユーザ選択に基づいて、スピーカでのオーディオ出力を調整するために、ユーザで指定されたパラメータを受信するようにしてもよい。マイクロプロセッサはイヤーピースからイヤーカップを取り外し後イヤーカップに関連するパラメータを保持するように構成されている。
【０００６】
本発明のさらに別の例示的実施形態では、ユーザに対してオーディオを再生するオーディオヘッドセットによって実行される方法であり、この方法は、オーディオヘッドセットに結合されたイヤークッションのタイプを決定するステップと、オーディオヘッドセットに結合されたイヤークッションの決定されたタイプに関連する再生設定を使用してオーディオを再生することを含む。
【０００７】
本発明のさらに別の例示的な実施形態では、１ペアのイヤーピースを備えるオーディオヘッドセットであり、各イヤーピースは、スピーカ、イヤークッションアダプタ、マイクロプロセッサ及びドライバを含む、1ペアのヘッドセットイヤーピースと、ヘッドセットイヤーピースに取り外し可能に取り付けられえるように構成された取り外し可能なイヤーカップの第１のペアであって、各イヤーピースに関連するマイクロプロセッサは、取り外し可能なイヤーカップの第１のペアを認識し、取り外し可能なイヤーカップの第１のペアに関連するパラメータに基づいて、スピーカを介してオーディオ出力を調整するように構成されている、イヤーカップの第１のペアと、ヘッドセットイヤーピースに取り外し可能に取り付けられえるように構成された取り外し可能なイヤーカップの第２のペアであって、各イヤーピースに関連するマイクロプロセッサは、取り外し可能なイヤーカップの第２のペアを認識し、取り外し可能なイヤーカップの第２のペアに関連するパラメータに基づいて、スピーカを介してオーディオ出力を調整するように構成されている、イヤーカップの第２のペアと、を含む。
【０００８】
本発明のさらなる例示的な実施形態は、以下の特徴の一つ以上を含むことができる。
【０００９】
オーディオヘッドセットはさらに、各ヘッドセットヤーピースの識別コンポーネントの一般的なセットと、識別コンポーネントの一般的なセットと結合するように構成された取り外し可能なイヤーカップの第１のペア上の識別コンポーネントの第１のセットと、識別コンポーネントの一般的なセットと結合するように構成された取り外し可能なイヤーカップの第２のペア上の識別コンポーネントの第２のセットとを含み、第１のセットの識別コンポーネントと第２のセットの識別コンポーネントは、互いに固有の構成で識別コンポーネントの一般的なセットと結合する。プロセッサは、識別コンポーネントが結合されたとき、取り外し可能なイヤーカップを認識するように構成されている。取り外し可能なイヤーカップの第１のペアは、オーバーイヤーカップ、オンイヤーカップ、又はインイヤーカップからなる。取り外し可能なイヤーカップの第２のペアはオーバーイヤーカップ、オンイヤーカップ、又はインイヤーカップからなる。取り外し可能なイヤーカップの第１のペアは、取り外し可能なイヤーカップの第２のペアと異なるタイプのイヤーカップからなる。プロセッサは、イヤーピースに結合されたイヤーカップのタイプに関連するオーディオ出力を提供するように構成され、オーディオ出力は、オーバーイヤーカップ、オンイヤーカップ、またはインイヤーカップからなるイヤーカップに対する標準プロファイルである。プロセッサは、イヤーピースに結合された特定のイヤーカップに関連するオーディオ出力を提供するように構成され、その特定のイヤーカップは、ユーザプロファイルに関連する。取り外し可能なイヤーカップの第１のペアおよび取り外し可能なイヤーカップの第２のペアは、それぞれ、取り外し可能なイヤーカップの左右ペアからなる。各イヤーピースのためのマイクロプロセッサは、右または左のイヤーカップに関連するスピーカに出力を提供するように構成され、出力は、ユーザの各耳に対する特定のユーザプロファイルに関連する。
【００１０】
（詳細な説明）
【００１１】
モバイルアプリケーションに接続可能であり、ヘッドフォンのイヤーカップのタイプ（例えば、オンイヤー及び／またはオーバーイヤー）に基づいてモバイルアプリケーション（または他のソース）から受信されたオーディオを再生するワイヤレスヘッドフォンを提供するためのシステム、方法、およびデバイスが記載される。
【００１２】
いくつかの実施形態では、システムおよび方法は、オーディオヘッドセットに結合されたイヤークッションのタイプを決定し、オーディオヘッドセットに結合されたイヤークッションの決定されたタイプに関連する再生設定を使用してオーディオを再生する。
【００１３】
例えば、システムおよび方法は、クッションのタイプをオーバーイヤーまたはオンイヤークッションとして識別し、再生設定（例えば、イコライザー（ＥＱ）、低音または高音レベルなど）を変更したり、クッションのタイプに基づいて再生されるようにオーディオを処理する。
【００１４】
いくつかの実施形態では、オーディオヘッドセットは、マイクロプロセッサとドライバとを含むイヤークッションアダプタと、イヤークッションアダプタに取り外し可能に取り付けられるように構成されたイヤークッションとを含む。
【００１５】
例えば、イヤークッションアダプタは、イヤークッションがイヤークッションアダプタに取り外し可能に取り付けられたときに、イヤークッションの識別コンポーネントに結合する識別コンポーネントを含むことができ、そして、マイクロプロセッサは、イヤークッションの識別コンポーネントとイヤークッションの識別コンポーネントとの結合に基づいて、イヤークッションのタイプを識別するように構成される。別の例として、イヤークッションは、イヤークッションアダプタの磁石に結合する磁石を介してイヤークッションアダプタに取り外し可能に取り付けられる。
【００１６】
以下は、本発明の原理を説明するための例示的な実施形態の詳細な説明である。実施形態は、本発明の態様を例示するために提供されるが、本発明は、任意の実施形態に限定されない。本発明の範囲は、多数の代替物、改変物および等価物を包含する。
【００１７】
多数の特定の詳細が本発明の完全な理解を提供するために、以下の説明に記載される。しかしながら、本発明はこれらの特定の詳細の一部または全てがなくとも特許請求の範囲に従って実施することができる。明瞭化のために、本発明に関連する技術分野において知られている技術的材料は、本発明が不必要に不明瞭にならないように詳細には記載されていない。
【００１８】
様々な実施形態が、以下の詳細な説明および添付図面に開示される。
【図面の簡単な説明】
【００１９】
【図１】図１は、好適な通信環境を示すブロック図である。
【図２Ａ】図２Ａは、交換可能イヤークッション付きヘッドフォンの様々な態様を示す。
【図２Ｂ】図２Ｂは、交換可能イヤークッション付きヘッドフォンの様々な態様を示す。
【図２Ｃ】図２Ｃは、交換可能イヤークッション付きヘッドフォンの様々な態様を示す。
【図３】図３は、ヘッドフォンに結合されたイヤークッションのタイプを識別するように構成されたコンポーネントを示す概略図である。
【図４Ａ】図４Ａは、ヘッドフォンに結合されたイヤークッションの識別回路を示す模式図である。
【図４Ｂ】図４Ｂは、ヘッドフォンに結合されたイヤークッションの識別回路を示す模式図である。
【図５】図５は、ヘッドフォンに結合されたイヤークッションのタイプに基づいてオーディオを再生するための方法を示すフロー図である。
【図６】図６は、コンピュータ装置のアーキテクチャ例を示すブロック図である。
【発明を実施するための形態】
【００２０】
本明細書に記載するように、いくつかの実施形態では、システムおよび方法は、ヘッドフォンに交換可能なイヤークッションを提供し、ヘッドフォンに結合されたイヤークッションのタイプに基づいてオーディオの再生を変更、強化、または調整する。図１は、無線ネットワーク１２５を介して通信し、１つまたは複数のモバイルアプリケーション１３５をサポートするモバイルデバイス１３０に関連するヘッドフォン１１０又はオーディオヘッドセットを含む適切な通信環境１００を示す。
【００２１】
いくつかの実施形態では、オーディオヘッドセット１１０は、（例えば、音楽、ポッドキャスト、音声通話など）モバイルアプリケーション１３５からオーディオコンテンツを受信するために、ネットワーク１２５を介してモバイルデバイス１３０と通信する。いくつかの実施形態では、オーディオヘッドセット１１０はまた、オーディオヘッドセット１１０にオーディオコンテンツを提供するＢｌｕｅｔｏｏｔｈ（登録商標）または他の近距離無線通信プロトコルを介してモバイルデバイス１３０と直接通信することができる。
【００２２】
本明細書に記載するように、いくつかの実施形態では、ヘッドフォン１１０はオーバーイヤークッション、オンイヤークッション、等のような様々な異なる交換可能なイヤークッション（又はパッド）１１５で構成とすることができる。
【００２３】
図２Ａに示されているように、ヘッドフォン１１０は、ヘッドフォン１１０をイヤークッション１１５に接続又は結合するイヤークッションアダプタまたはフレーム２１０を含む。イヤークッションアダプタ２１０は、ダイナミックタイプのドライバ、静電ドライバ、マイクロドライバ、バランスドアーマチュアドライバなどの、サウンドを生成するように構成された、ドライバ２１５または他のコンポーネントを含むかまたは備えることができる。
【００２４】
イヤークッションアダプタ２１０はまた、アダプタ２１０上に配置された、またはアダプタ２１０と部分的に一体化された磁石または他のアタッチメントコンポーネント２１７を含む。磁石２１７は、イヤークッションがアダプタ２１０に（着脱自在に）取り付けられるように配置されたとき、イヤークッション１１５に固定された磁石に結合する。したがって、アダプタ２１０は、様々な交換可能なイヤークッション１１５のヘッドフォン１１０への取り付け（および取り付け解除）を容易にするコンポーネントを含む。
【００２５】
図２Ｂは、イヤークッションアダプタ２１０に取り外し可能に結合されるように構成されたオーバーイヤークッション２２０の様々な図を示す。オーバーイヤークッション２２０は、オーバーイヤークッション２２０がアダプタ２１０に取り付けられるように配置されたときにアダプタ２１０の磁石２１７と一致するように、クッション２２０上に配置された磁石２２５とオーバーイヤーパッド２２２を含む。
【００２６】
図２Ｃは、イヤークッションアダプタ２１０に取り外し可能に結合されるように構成されたインイヤークッション２３０の様々な図を示す。インイヤークッション２３０は、インイヤークッション２３０がアダプタ２１０に取り付けられるように配置されたときに、アダプタ２１０の磁石２１７と一致するように、クッション２３０上に配置された磁石２３５及びインイヤーパッド２３２を含む。
【００２７】
図３は、ヘッドフォン１１０に結合されたイヤークッション１１５のタイプを識別するように構成されたコンポーネントを示す概略図である。図示されるように、イヤークッションアダプタ２１０およびイヤークッション２２０，２３０は、イヤークッション１１５がアダプタ２１０に結合されたときに、ヘッドフォン１１０に取り付けられたイヤークッション１１５のタイプの識別を容易にする識別接触子（識別コンタクト）３１０（電気接触子（電気コンタクト））を含む。
【００２８】
図４Ａ−４Ｂは、ヘッドフォン１１０に結合されたイヤークッションの識別回路を示す概略図である。図示のように、（例えば、磁気アタッチメントコンポーネントを介して）クッションが取り付けられると、クッションの識別コンタクト３１０は、供給電圧４１５に関連する識別コンタクトまたはグラウンド４１７に関連する識別コンタクトに接触する。
【００２９】
例えば、マイクロプロセッサ４１０のＡＤＣ入力ピン上に、オーバーイヤークッション２２０をアダプタ２１０に結合するとＶＣＣ４１５へのプルアップが生じ、オンイヤークッション２３０をアダプタ２１０に結合するとＧＮＤ４１７へのプルダウンが生じる。プロセッサ４１０は、クッションをオンイヤークッション２３０またはオーバーイヤークッション２２０として識別し、（ヘッドフォン１１０を介して直接的に、またはモバイルアプリケーション１３５を介して間接的に）オーディオ再生設定を調整、設定または変更する。
【００３０】
例えば、マイクロプロセッサ４１０は、ヘッドフォン１１０に結合されたイヤークッション１１５のタイプに基づいて、工場プリセットＤＳＰ、チューニングおよび／またはＥＱを調整または設定することができる。マイクロプロセッサはまた、イヤークッションのタイプに応じてノイズキャンセリング機能を有効／無効にし、音量出力範囲を変更するなどの他の動作も実行することができる。
【００３１】
図５は、ヘッドフォンに結合されたイヤークッションのタイプに基づいてオーディオを再生する方法５００を示すフロー図である。方法５００は、ヘッドフォン１１０および／またはモバイルアプリケーション１３５（またはその中のコンポーネント）によって実行されてもよく、したがって、本明細書では単にそれを参照して説明される。方法５００は、任意の適切なハードウェア上で実行されてもよいことが理解されよう。
【００３２】
動作５１０において、ヘッドフォン１１０は、オーディオヘッドセットに結合されたイヤークッションのタイプを決定する。例えば、ヘッドフォン１１０を備えたマイクロプロセッサ４１０は、イヤークッションが結合されたときに識別コンタクト３１０から受信された信号に基づいて、ヘッドフォン１１０に結合されたイヤークッションのタイプを特定することができる。
【００３３】
動作５２０において、ヘッドフォン１１０および／またはモバイルアプリケーション１３５は、オーディオヘッドセットに結合されたイヤークッションの決定されたタイプに関連する再生設定を使用して、オーディオを再生する（または再生させる）。例えば、ヘッドフォン１１０は、オーバーイヤークッションまたはオンイヤークッションのようなクッションのタイプを特定し、そのクッションのタイプに基づいて（例えば、イコライザー（ＥＱ）、低音または高音レベルなど）再生設定を変更したり、オーディオを処理して再生することができる。
【００３４】
別の例として、モバイルアプリケーション１３５は、ヘッドフォン１１０に結合されたイヤークッションのタイプを特定する情報を受信し、モバイルアプリケーション１３５からヘッドフォン１１０にストリーミングされ、または転送されるオーディオに関連する再生設定に様々な修正を行うことができる。例えば、モバイルアプリケーション１３５は、イヤークッションのタイプ、イヤークッションの形状、イヤークッションの材料などを示す識別子など、イヤークッションのための様々な識別子に基づいて再生設定を変更することができる。
（適切なコンピューティング環境の例）
【００３５】
図６は、本明細書で説明されるようなクラウドサービス内の任意のノードを含む、モバイルデバイスまたはサーバなどの任意の電子デバイスを表し、上述した動作を実現することができる、コンピュータ６００の例示的なアーキテクチャを示す高レベルのブロック図を示す。コンピュータ６００は、相互接続部６３０に結合された１つまたは複数のプロセッサ６１０およびメモリ６２０を含む。相互接続６３０は、任意の１つまたは複数の別個の物理バス、ポイントツーポイント接続、または適切なブリッジ、アダプタ、またはコントローラによって両方が接続されたものの抽象概念であり得る。したがって、相互接続部６３０は、例えば、システムバス、ＰＣＩ（Ｐｅｒｉｐｈｅｒａｌ  Ｃｏｍｐｏｎｅｎｔ  Ｉｎｔｅｒｃｏｎｎｅｃｔ）バスまたはＰＣＩ−Ｅｘｐｒｅｓｓバス、ＨｙｐｅｒＴｒａｎｓｐｏｒｔまたはインダストリ スタンダード アーキテクチャ（ＩＳＡ）バス、ＳＣＳＩ（Ｓｍａｌｌ  Ｃｏｍｐｕｔｅｒ  Ｓｙｓｔｅｍ  Ｉｎｔｅｒｆａｃｅ）バス、ユニバーサルシリアルバス（ＵＳＢ）、ＩＩＣ（Ｉ２Ｃ）バス、または米国電気電子学会（ＩＥＥＥ）規格１３９４バス、「Ｆｉｒｅｗｉｒｅ」とも呼ばれるものを含む。
【００３６】
プロセッサ（単数または複数）６１０は、コンピュータ６００の中央処理装置（ＣＰＵ）であり、コンピュータ６００の全体的な動作を制御する。ある実施形態では、プロセッサ（単数または複数）６１０は、メモリ６２０に記憶されたソフトウェアまたはファームウェアを実行することによってこれを達成する。プロセッサ６１０（単数または複数）は、１つまたは複数のプログラマブル汎用または特殊用途マイクロプロセッサ、デジタル信号プロセッサ（ＤＳＰ）、プログラマブルコントローラ、特定用途向け集積回路（ＡＳＩＣ）、プログラマブルロジックデバイス（ＰＬＤ）、フィールドプログラマブルゲートアレイ（ＦＰＧＡ）、トラステッドプラットフォームモジュール（ＴＰＭ）、またはそのようなデバイスまたは同様のデバイスの組み合わせを含むことができる。
【００３７】
メモリ６２０は、コンピュータ６００のメインメモリであるか、またはそれを含む。メモリ６２０は、ランダムアクセスメモリ（ＲＡＭ）、読み出し専用メモリ（ＲＯＭ）、フラッシュメモリなど、またはそのようなデバイスの組み合わせなど、任意の形式を表す。使用時には、メモリ６２０は、本明細書で開示される技術による命令を含むコード６７０を含むことができる。
【００３８】
また、相互接続部６３０を介してプロセッサ６１０に接続されるのは、ネットワークアダプター６４０と大容量記憶装置６５０である。ネットワークアダプター６４０は、ネットワークを介して遠隔装置と通信する能力をコンピュータ６００に提供し、例えばイーサネット（登録商標）アダプタとすることができる。ネットワークアダプター６４０はまた、コンピュータ６００に他のコンピュータと通信する能力を提供してもよい。
【００３９】
メモリ６２０に格納されたコード６７０は、上述の動作を実行するようにプロセッサ６１０をプログラムするためのソフトウェアおよび／またはファームウェアとして実装することができる。ある実施形態では、そのようなソフトウェアまたはファームウェアは、（例えば、ネットワークアダプター６４０を介して）コンピュータ６００を介してリモートシステムからダウンロードすることによって、コンピュータ６００に最初に提供されてもよい。
（結論）
【００４０】
本明細書で紹介する技術は、例えば、ソフトウェアおよび／またはファームウェアで、または完全に専用ハードワイヤード回路で、またはそのような形態の組み合わせでプログラムされたプログラム可能な回路（例えば、１つまたは複数のマイクロプロセッサ）によって実施することができる。ここに導入された技術を実装する際に使用するソフトウェアまたはファームウェアは、機械可読記憶媒体に格納されてもよく、１つまたは複数の汎用または専用のプログラム可能なマイクロプロセッサによって実行されてもよい。
【００４１】
上記の例に加えて、本発明から逸脱することなく、本発明の様々な他の変更および改変を行うことができる。したがって、上記開示は限定的であるとみなされるべきではなく、添付の特許請求の範囲は、本発明の真の精神および範囲全体を包含するものとして解釈されるべきである。
【００４２】
様々な実施形態は、方法、装置（システム）およびコンピュータプログラム製品のフローチャート図および／またはブロック図を参照して上に記載されている。フローチャート図および／またはブロック図の各ブロック、ならびにフローチャート図および／またはブロック図のブロックの組み合わせは、コンピュータプログラム命令によって実施できることが理解されるであろう。これらのコンピュータプログラム命令は、汎用コンピュータ、特殊目的コンピュータ、または他のプログラム可能（プログラマブル）データ処理装置のプロセッサに提供されて機械を生成することができ、コンピュータまたは他のプログラム可能データ処理装置のプロセッサを介して実行される命令は、フローチャートおよび／またはブロック図のブロックで指定された機能／動作を実施するための手段を生成する。
【００４３】
本明細書で使用される「機械可読記憶媒体」は、機械によってアクセス可能な形式で情報を記憶することができる任意の機構を含む（機械は、例えば、コンピュータ、ネットワーク装置、携帯電話、ＰＤＡ（ｐｅｒｓｏｎａｌ  ｄｉｇｉｔａｌ  ａｓｓｉｓｔａｎｔ）、製造ツール、１つまたは複数のプロセッサを備えた任意のデバイスなどを含むことができる）。例えば、機械アクセス可能な記憶媒体は、記録可能／記録不可能媒体（例えば、読み出し専用メモリ（ＲＯＭ）、ランダムアクセスメモリ（ＲＡＭ）、磁気ディスク記憶媒体、光学記憶媒体、フラッシュメモリ装置など）等を含む。
【００４４】
これらのコンピュータプログラム命令は、コンピュータ可読媒体に格納された命令がフローチャートおよび／またはブロック図のブロックで指定された機能／動作を実装する命令を含む製造物を生成するように、コンピュータ、他のプログラム可能なデータ処理装置、または他のデバイスを特定の方法で機能させることができるコンピュータ可読媒体に格納することもできる。
【００４５】
コンピュータプログラム命令は、コンピュータ、他のプログラム可能（プログラマブル）処理装置、または他の装置上で実行される一連の動作ステップがコンピュータ実装プロセスを生成するためにコンピュータ、その他のプログラム可能なデータ処理装置、または他の装置のデバイスにロードすることもでき、コンピュータまたは他のプログラマブル装置上で実行される命令は、フローチャートおよび／またはブロック図のブロックで指定された機能／動作を実装するためのプロセスを提供する。
【００４６】
前述のフローチャートおよび図は、様々な実施形態によるシステム、方法およびコンピュータプログラム製品の可能な実装のアーキテクチャ、機能、および動作を示す。これに関して、フローチャートまたはブロック図の各ブロックは、指定された論理機能を実装するための１つまたは複数の実行可能命令を含むモジュール、セグメント、またはコード部分を表すことができる。また、いくつかの代替的な実施形態では、ブロックに記されている機能は、図に示された順序から外れることがあることにも留意されたい。例えば、連続して示される２つのブロックは、実際には実質的に同時に実行されてもよく、または、関連する機能に応じてブロックが時々逆の順序で実行されてもよい。また、ブロック図および／またはフローチャート図の各ブロック、ならびにブロック図および／またはフローチャート図のブロックの組み合わせは、特定の機能または動作を実行する専用のハードウェアベースのシステム、または専用ハードウェアとコンピュータ命令との組み合わせによって実施することができる。
【００４７】
本発明の様々な特徴を単一の実施形態の文脈で説明することができるが、特徴を別々にまたは任意の適切な組み合わせで提供することもできる。逆に、明瞭化のために別個の実施形態の文脈で本発明を説明することができるが、本発明は単一の実施形態でも実施することができる。
【００４８】
本明細書において、「いくつかの実施形態」、「ある実施形態」、「１つの実施形態」または「他の実施形態」とは、実施形態に関連して記載された特定の特徴、構造または特性が少なくともいくつかの実施形態に含まれるが、必ずしも本発明のすべての実施形態である必要はない。
【００４９】
本明細書で使用される表現および用語は、限定として解釈されるべきではなく、説明目的のみのためのものであることを理解されたい。
【００５０】
本明細書に記載された詳細は、本発明の適用に対する限定であると解釈しないことを理解されたい。
【００５１】
さらに、本発明は様々な方法で実施または実施することができ、本発明は上記の説明に概説したもの以外の実施形態で実施できることを理解されたい。
【００５２】
用語「含む」、「備える」、「からなる」およびその文法上の変形は、１つまたは複数の構成要素、特徴、ステップ、または整数またはグループの追加を排除するものではなく、コンポーネント、特徴、ステップまたは整数を特定するものと解釈されるべきである。
【図１】
2018531544.tif 000003
【図２Ａ】
2018531544.tif 000004
【図２Ｂ】
2018531544.tif 000005
【図２Ｃ】
2018531544.tif 000006
【図３】
2018531544.tif 000007
【図４Ａ】
2018531544.tif 000008
【図４Ｂ】
2018531544.tif 000009
【図５】
2018531544.tif 000010
【図６】
2018531544.tif 000011
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
オーディオヘッドセットであって、
スピーカと、イヤークッションアダプタと、プロセッサとを含む少なくとも１つのヘッドセットイヤーピースと、そして
前記少なくとも１つのヘッドセットイヤーピースに取り外し可能に取り付けられるように構成された取り外し可能なイヤーカップと、を備え、
前記プロセッサは、取り外し可能なイヤーカップを識別し、取り外し可能なイヤーカップに関連するパラメータに基づいて前記スピーカを通してのオーディオ出力を調整するように構成されている、オーディオヘッドセット。
【請求項２】
前記ヘッドセットイヤーピース上の第１のセットの識別コンポーネントと、前記取り外し可能なイヤーカップ上の第２のセットの識別コンポーネントをさらに備え、前記第１および第２の識別コンポーネントは、前記取り外し可能なイヤーカップが前記オーディオヘッドセットに取り付けられたときに結合する、請求項１に記載のオーディオヘッドセット。
【請求項３】
前記プロセッサは、前記第１および第２の識別コンポーネントが共に結合されたときに前記取り外し可能なイヤーカップを認識するように構成されている、請求項２に記載のオーディオヘッドセット。
【請求項４】
前記ヘッドセットイヤーピースに関連する第１の磁気タブと、前記取り外し可能なイヤーカップに関連する第２の磁気タブとをさらに備え、前記第１及び第２の磁気タブは、前記取り外し可能なイヤーカップが前記ヘッドセットイヤーピースと整列されたときに整列し、磁気的に結合するように構成されている、請求項１に記載のオーディオヘッドセット。
【請求項５】
前記第１の磁気タブは、前記ヘッドセットイヤーピースの表面上に構成された複数の磁気タブからなり、前記第２の磁気タブは、前記取り外し可能なイヤーカップの表面上に構成された複数の磁気タブからなる、請求項４に記載のオーディオヘッドセット。
【請求項６】
取り外し可能なイヤーカップは、オーバーイヤーカップ、オンイヤーカップまたはインイヤーカップからなる、請求項１に記載のオーディオヘッドセット。
【請求項７】
前記プロセッサは、オーバーイヤーカップ、オンイヤーカップ、またはインイヤーカップに関連するパラメータに基づいて、前記スピーカでの前記オーディオ出力を調整するように構成されている、請求項１に記載のオーディオヘッドセット。
【請求項８】
前記プロセッサは、前記イヤーピースに取り付けられたイヤーカップのタイプのユーザ選択に基づいて、前記スピーカでの前記オーディオ出力を調整するためのユーザ指定パラメータを受信する、請求項７に記載のオーディオヘッドセット。
【請求項９】
前記プロセッサは、前記イヤーカップを前記イヤーピースから取り外した後に、イヤーカップに関連するパラメータを保持するように構成されている、請求項１に記載のオーディオヘッドセット。
【請求項１０】
オーディオヘッドセットであって、
スピーカと、イヤークッションアダプタと、プロセッサとを備えるヘッドセットイヤーピースと、そして
ヘッドセットイヤーピースに取り外し可能に取り付けられるように構成された取り外し可能なイヤークッションと、を備え、
前記プロセッサは、前記取り外し可能なイヤークッションに関連するパラメータに基づいて、前記取り外し可能なイヤークッションのタイプを認識するように構成されている、オーディオヘッドセット。
【請求項１１】
前記プロセッサは、前記取り外し可能なイヤークッションのタイプに基づいて、前記スピーカへのオーディオを調整するようにさらに構成されている、請求項１０に記載のオーディオヘッドセット。
【請求項１２】
前記ヘッドセットイヤーピース上の識別コンポーネントの第１のセットと、前記取り外し可能なイヤークッション上の識別コンポーネントの第２のセットと、をさらに備え、取り外し可能なイヤークッションが前記オーディオヘッドセットに取り付けられたときに、第１および第２の識別コンポーネントが共に結合される、請求項１０に記載のオーディオヘッドセット。
【請求項１３】
前記プロセッサは、前記第１および第２の識別コンポーネントが共に結合されているときに前記取り外し可能なイヤークッションを認識するように構成されている、請求項１１に記載のオーディオヘッドセット。
【請求項１４】
前記ヘッドセットイヤーピースは、第１のヘッドセットイヤーピースからなり、前記オーディオヘッドセットは、さらに第２のヘッドセットイヤーピースからなる、請求項１０に記載のオーディオヘッドセット。
【請求項１５】
スピーカを含むオーディオヘッドセットに取り外し可能に取り付けるように構成された取り外し可能なオーディオヘッドセットイヤークッションと、イヤークッションアダプタと、を備え、
前記取り外し可能なオーディオヘッドセットイヤークッションは、オーディオヘッドセットに取り外し可能に結合するように構成されたアタッチメントコンポーネントを含む、装置。
【請求項１６】
前記アタッチメントコンポーネントは、少なくとも１つの磁石を含む、請求項１５に記載の装置。
【請求項１７】
前記取り外し可能なオーディオヘッドセットイヤークッションは、インイヤークッションからなる、請求項１５に記載の装置。
【請求項１８】
前記取り外し可能なオーディオヘッドセットイヤークッションは、オンイヤークッションからなる、請求項１５に記載の装置。
【請求項１９】
前記取り外し可能なオーディオヘッドセットイヤークッションは、オーバーイヤークッションからなる、請求項１５に記載の装置。
【請求項２０】
前記オーディオヘッドセットは、プロセッサ回路をさらに備え、前記アタッチメントコンポーネントは、前記プロセッサ回路への前記取り外し可能なオーディオヘッドセットイヤークッションのタイプを示すように構成されている、請求項１５に記載の装置。
【国際調査報告】
2018531544.tif 000012
2018531544.tif 000013